(57)【要約】      （修正有）【課題】支柱の前面側からのみでも塀パネルの取付けが可能であると共に、塀パネル取付け後は、外観上は表裏感が生じにくい外構塀及び外構塀を提供する。【解決手段】支柱２の間に取付けられた塀パネル１が取付けられた外構塀であって、塀パネル１はその両側端から支柱２に向かって垂直方向にそれぞれ挟持片５８が突出され、支柱２の側面には、塀パネル１の背面端部を隠蔽するカバー片３２と、挟持片４の背面側に配置される受け片３３とを備えた取付部材３が設けられ、挟持片４が、受け片３３と、挟持片５８の前面を隠蔽する押さえ片４とによって挟持されるように構成する。【選択図】図６
2008175033.tif 000002
【特許請求の範囲】
【請求項１】
適宜間隔をおいて立設された支柱と、前記支柱の間に取付けられた塀パネルとからなる外構塀であって、前記塀パネルはその両側端から支柱に向かって垂直方向にそれぞれ挟持片が突出され、支柱の側面には、塀パネルの背面端部を隠蔽するカバー片と、前記挟持片の背面側に配置される受け片とを備えた取付部材が設けられ、前記挟持片が、この受け片と、挟持片の前面を隠蔽する押さえ片とによって挟持されていることを特徴とする外構塀。
【請求項２】
複数の塀パネルが上下に接合され、前記接合部において、一方の塀パネルの接合部には長手方向に向かって相対向する二個の脚片と、その間に並設された突条とを有し、前記脚片間に他方の塀パネルの接合部が挿入されると共に、突条が挿入される係止溝が前記接合部に形成されていることを特徴とする請求項１に記載の外構塀。
【請求項３】
複数の塀パネルが上下に接合され、前記接合部において、一方の塀パネルの接合部には長手方向に向かって脚片と、その脚片に並設された突条とを有し、他方の塀パネルの接合部には、前記脚片が嵌合される切欠部と、前記突条が挿入される係止溝が形成されていることを特徴とする請求項１に記載の外構塀。
【請求項４】
支柱に回動可能なバンド状金具が取付けられ、該バンド状金具を介して前記取付部材が支柱に取付けられていることを特徴とする請求項１〜３の何れか１項に記載の外構塀。
【請求項５】
前記バンド状金具は、支柱の外周面に沿って締着される２個一対の支柱取付片からなり、２個一対の支柱取付片にはその相対向する一端に連結部が設けられ、相対向する他方の一端には締め付け部が設けられていることを特徴とする請求項４に記載の外構塀。
【請求項６】
適宜間隔をおいて支柱が立設され、前記支柱は、垂直に立設された支柱垂直部の上部に前面に向けて傾斜した支柱傾斜部が設けられ、前記支柱垂直部と支柱傾斜部とに前記塀パネルが取付けられ、前記両塀パネルはその両側端から支柱に向かって垂直方向にそれぞれ挟持片が突出され、支柱の側面には、塀パネルの一方の面の端部を隠蔽するカバー片と、前記挟持片の内面側に配置される受け片とを備えた取付部材が設けられ、前記挟持片が、この受け片と、挟持片の外面を隠蔽する押さえ片とによって挟持されていることを特徴とする外構塀。
【請求項７】
前記支柱垂直部において、複数の塀パネルが上下に接合され、前記接合部において、一方の塀パネルの接合部には長手方向に向かって相対向する二個の脚片と、その間に並設された突条とを有し、前記脚片間に他方の塀パネルの接合部が挿入されると共に、突条が挿入される係止溝が前記接合部に形成されていることを特徴とする請求項６に記載の外構塀。
【請求項８】
前記支柱垂直部において、複数の塀パネルが上下に接合され、前記接合部において、一方の塀パネルの接合部には長手方向に向かって脚片と、その脚片に並設された突条とを有し、他方の塀パネルの接合部には、前記脚片が嵌合される切欠部と、前記突条が挿入される係止溝が形成されていることを特徴とする請求項６に記載の外構塀。
【請求項９】
前記支柱垂直部に取付けられた塀パネルの上端面と支柱傾斜部に取付けられた塀パネルの下端面との間に連結部材が介在され、前記連結部材は、その底面が支柱垂直部に取付けられた塀パネルの上端面に配置されると共に、上面に支柱傾斜部に取付けられた塀パネルの下端面が配置されていることを特徴とする請求項６〜８のいずれか１項に記載の外構塀。
【請求項１０】
前記支柱垂直部に取付けられた塀パネルの上端面と支柱傾斜部に取付けられた塀パネルの下端面との間に連結部材が介在され、前記連結部材は斜辺を底面とする直角三角形状であって、その底面が支柱垂直部に取付けられた塀パネルの上端面に配置されると共に、直交する二辺のいずれか一方を上面として、該上面に支柱傾斜部に取付けられた塀パネルの下端面が配置されていることを特徴とする請求項６〜８のいずれか１項に記載の外構塀。
【発明の詳細な説明】
【技術分野】
【０００１】
本発明は、住宅やマンション等の敷地境界部や隣地境界部に沿って設けられる外構塀に関し、詳しくは、適宜間隔をおいて立設された支柱間に塀パネルが配置された外構塀に関するものである。
【背景技術】
【０００２】
一般に、住宅や工場等の敷地の境界部に沿って設けられる外構塀には、形状、意匠の面から種々のものがあり、例えば、適宜間隔をあけて複数個のＨ鋼からなる支柱を、隣接するＨ鋼の凹部が互いに向かい合わせになるように立設し、この向かい合うＨ鋼の凹部の間に塀パネルを嵌め込んで施工される外構塀が提案されている。
【０００３】
このような外構塀は構造が単純であり、又、施工後も塀パネルはＨ鋼からは容易には外れることがない点は優れているが、一般的に、塀パネルをＨ鋼の凹部に嵌め込む際は、一旦、塀パネルをＨ鋼の上まで持ち上げて、Ｈ鋼の凹部に落とし込むような施工方法となるため、塀パネルを持ち上げるための重機を使用できない場所では、施工が容易ではなかった。
【０００４】
そこで、所定の断面の基準部材に補助部材を当接した縦枠と横枠とを四角形に設けた縁枠を形成し、縁枠の基準部材と補助部材とで樹脂板を挟持し、縁枠の外側を止め板で固定したことを特徴とする屋外及び道路用透光板枠部材が提案されている。
【０００５】
この枠部材は、透光板を挟持する縁枠と、縁枠の側面に取付けられ側方に突出した耳板を有する断面Ｌ字状の止め板とを備えているので、この枠部材を支柱に取付ける際は、止め板の耳板を支柱の前面側に配置すると共に、この耳板と支柱とを締結すればよく、透光板を含めた枠部材の取付作業が容易となる。又、取付け後は、耳板と支柱の締結を外せばよいので、枠部材の取り外し作業も容易である（例えば、特許文献１参照。）。
【０００６】
【特許文献１】特開平６−３０６８２３号公報
【発明の開示】
【発明が解決しようとする課題】
【０００７】
しかしながら、前記の枠部材には次のような問題点があった。すなわち、枠部材の耳板を、支柱の前面側に配置しボルト等で支柱に締結した場合、支柱の背面側は隠蔽されていないため、明らかに表裏感のある構造となり、支柱と枠部材との隙間が生じるため、枠部材の背面側から見ると美観を損ねるものであった。
【０００８】
本発明は、前記の如き問題点を解消し、支柱の前面側から塀パネルの取付けが可能であると共に、塀パネルを取付けた後は、外観上は表裏感が生じにくく、美観を奏する外構塀を提供せんとするものである。
【課題を解決するための手段】
【０００９】
上記目的を達成するために、本発明は次のような構成としている。すなわちこの発明に係る外構塀は、適宜間隔をおいて立設された支柱と、前記支柱の間に取付けられた塀パネルとからなる外構塀であって、前記塀パネルはその両側端から支柱に向かって垂直方向にそれぞれ挟持片が突出され、支柱の側面には、塀パネルの背面端部を隠蔽するカバー片と、前記挟持片の背面側に配置される受け片とを備えた取付部材が設けられ、前記挟持片が、この受け片と、挟持片の前面を隠蔽する押さえ片とによって挟持されていることを特徴とするものである。
【発明の効果】
【００１０】
本発明によれば、支柱に塀パネルを取付ける際、支柱の側面には、塀パネルの背面端部を隠蔽するカバー片と、該挟持片の背面側に配置される受け片とを備えた取付部材が設けられているので、支柱の前面側から塀パネルを配置すると共に、塀パネルの背面側を隠蔽することができる。そして、該挟持片は、この受け片と、塀パネルの背面端部及び挟持片の前面を隠蔽する押さえ片とによって挟持されるようになされているので、支柱の前面側のみから塀パネルを取付けることが可能であり、更に、塀パネルは、カバー片と押さえ片とによって表裏感が生じにくくなり、美観を奏することができる。
【００１１】
本発明において、複数の塀パネルが上下に接合され、前記接合部において、一方の塀パネルの接合部には長手方向に向かって相対向する二個の脚片と、その間に並設された突条とを有し、前記脚片間に他方の塀パネルの接合部が挿入されると共に、突条が挿入される係止溝が前記接合部に形成されれば、１個の塀パネルの上に別の塀パネルを接合する際、上の塀パネルは、その両端の挟持片が挟持されていない状態であっても、前記接合部における接合構造によって、塀パネルの前面側或いは背面側には容易に倒れにくくなり、施工作業の安全性が高められると共に、施工作業がより容易となる。
【００１２】
又、本発明において、複数の塀パネルが上下に接合され、その塀パネルが前面或いは背面の何れか一方のみにしか倒れる恐れがない場合は、その面側の塀パネルの接合部において、一方の塀パネルの接合部には長手方向に向かって脚片と、その脚片に並設された突条とを有し、他方の塀パネルの接合部には、前記脚片が嵌合される切欠部と、前記突条が挿入される係止溝が形成されれば、この接合構造によって、塀パネルは容易に倒れにくくなり、施工作業の安全性が高められると共に、施工作業がより容易となる。
【００１３】
更に、本発明において、支柱に回動可能なバンド状金具が取付けられ、該バンド状金具を介して前記取付部材が支柱に取付けられるようになされれば、支柱がコーナー部に位置する場合、支柱に取付けられる２枚のパネルがなす角度に応じて、バンド状部を介して支柱に設けられた取付部材の取付角度を調整することが可能となるため、支柱に特別な加工を施さなくても、塀パネルを容易に取付けることができる。
【００１４】
本発明において、バンド状金具は、支柱の外周面に沿って締着される２個一対の支柱取付片からなり、２個一対の支柱取付片にはその相対向する一端に連結部が設けられ、相対向する他方の一端には締め付け部が設けられるようになされれば、バンド状部を支柱の上端から挿通させるような作業は必要なくなり、支柱におけるバンド状部の所定の取付位置で２個の支柱支持片を嵌合させて、バンド状部を取付けることが可能となり、施工作業がより容易となる。
【００１５】
本発明請求項６に記載の外構塀は、適宜間隔をおいて支柱が立設され、前記支柱は、垂直に立設された支柱垂直部の上部に前面に向けて傾斜した支柱傾斜部が設けられ、前記支柱垂直部と支柱傾斜部とに前記塀パネルが取付けられ、前記両塀パネルはその両側端から支柱に向かって垂直方向にそれぞれ挟持片が突出され、支柱の側面には、塀パネルの一方の面の端部を隠蔽するカバー片と、前記挟持片の内面側に配置される受け片とを備えた取付部材が設けられ、前記挟持片が、この受け片と、挟持片の外面を隠蔽する押さえ片とによって挟持されるようになされたものであり、外構塀の前面側から塀パネルの取付作業が可能となり、又支柱傾斜部に取付けられた塀パネルは忍返しとしての効果を併せ持ち、人等が傾斜側から外構塀を乗り越えて敷地内側に侵入しにくくなる。
【００１６】
本発明請求項６に記載の外構塀において、支柱垂直部に取付けられた塀パネルの上端面と支柱傾斜部に取付けられた塀パネルの下端面との間に連結部材が介在され、前記連結部材は、その底面が支柱垂直部に取付けられた塀パネルの上端面に配置されると共に、上面に支柱傾斜部に取付けられた塀パネルの下端面が配置されるようになされたものであり、支柱傾斜部に取付けられる塀パネルの下部を傾斜角度に合わせて切欠く等の加工作業が不要となり、両塀パネルの連結作業が容易になされる。
【００１７】
本発明請求項６に記載の外構塀において、支柱垂直部に取付けられた塀パネルの上端面と支柱傾斜部に取付けられた塀パネルの下端面との間に連結部材が介在され、前記連結部材は斜辺を底面とする直角三角形状であって、その底面が支柱垂直部に取付けられた塀パネルの上端面に配置されると共に、直交する二辺のいずれか一方を上面として、該上面に支柱傾斜部に取付けられた塀パネルの下端面が配置されるようになされたものであり、支柱傾斜部に取付けられた塀パネルの正面あるいは背面と下面とを直行するようにすれば、前記連結部材の直交する二辺の他の一辺と平行とこの塀パネルの正面あるいは背面とが平行となるので、前記連結部材の一辺と塀パネルとを正面又は背面と略面一に合わせて取付けて、塀パネルどうしの連結部の意匠性を向上させることができる。
【発明を実施するための最良の形態】
【００１８】
次に、本発明を実施するための最良の形態について図面を参照し、具体的に説明する。
【００１９】
すなわち、図１は本発明に係る外構塀の第一の実施形態を示す正面図、図２は図１の部分正面図、図３は図１のＡ−Ａ線における要部拡大断面図、図４は図１のＢ−Ｂ線における要部拡大断面図、図５は、図４の変形を示す断面図、図６は図１の主要部の説明図、図７は本発明に係る外構塀の第一の実施形態の変形を示す部分断面図、図８は本発明に係る外構塀の第二の実施形態を示す部分断面図、図９は本発明に係る外構塀の第二の実施形態を変形を示す部分断面図、図１０は本発明に係る外構塀の第三の実施形態を示す部分断面図、図１１は本発明に係る外構塀の第四の実施形態を示す部分断面図であり、図１２〜１４は本発明に係る外構塀の第五の実施形態を示す説明図、図１５は本発明に係る第６の実施形態を示す正面図と側面図、図１６は図１５のＣ−Ｃ線における要部拡大断面図、図１７は図１５のＤ−Ｄ線における腰部拡大断面図、図１８は図１７の分解説明図である。
【００２０】
図面において、1は塀パネル、２は支柱、３は支柱２に取付けられて塀パネル１の背面端部を隠蔽する取付部材、４は塀パネル１の前面端部を隠蔽する押さえ片であり、本実施形態に係る外構塀Ｐは、塀パネル１、支柱２、取付部材３、及び押さえ片４から主に構成されたものである。
【００２１】
先ず、図１に示すように、この形態に係る外構塀Ｐは、適宜間隔をあけて立設された支柱２の間に、塀パネル１が配置されたものである。塀パネル１の上縁には笠木１１が設けられ、塀パネル１を上端を隠蔽すると共に、塀パネル１の上縁を隠蔽している。又、支柱２の上端部にはキャップ２１が設けられ、支柱２の上縁を隠蔽している。
【００２２】
塀パネル１は、図２に示すように、２個の縦枠５１と、上枠５２と、下枠５３とからなる枠体５を備え、図３に示すように、枠体５に２個のパネル材６が空隙を介して設けられたものである。この空隙には吸音材７が挿入されている。
【００２３】
枠体５は、本実施形態では、縦枠５１の支柱２側の外側面から上枠５２、下枠５３の長手方向に沿ってそれぞれに形成された断面略Ｃ字状のビスホール８１、８２に向かってビスが螺入されてなるものであり、上枠５２及び下枠５３の任意の長さに応じて枠体５を形成することができるが、縦枠５１と、上枠５２及び下枠５３とが接合される形態であればよい。
【００２４】
又、図３及び図５に示すように、枠体５は、その内側面には、長手方向に亘って凹溝８３が並設されており、２個のパネル材６の端部がそれぞれ挿入され、パネル材６を保持することができる。凹溝８３は、その外側の側壁部が枠体５の内側面の縁部に沿って形成されているが、縁部より内側に設けられてもよい。
【００２５】
パネル材６は、図３に示すように、芯材６１の表面に化粧板６２が貼着され、芯材６１の裏面に裏面板６３が貼着されたものであり、化粧板６２が外側に面するように配置されている。芯材６１は、一般には、ポリエチレンやポリプロピレン等の熱可塑性合成樹脂から作製されるものであり、ポリエチレン、ポリプロピレンを単独のもの、或いはこれらを適宜混練されたものを用いてもよく、これらに水酸化アルミニウム、水酸化マグネシウム等の無機材料を適宜混練したものを用いてもよいが、発泡させたものが用いられれば、より軽量で、運搬や施工性に優れたものとなり、より好ましい。
【００２６】
化粧板６２は、一般にはアルミニウム合金、ステンレス鋼、銅等の金属箔からなり、その前面には、装飾性を高めるために塗装が施されてもよく、装飾用のシートやフィルムを貼着されてもよいが、そのまま用いてもよい。
【００２７】
裏面板６３は、化粧板６２とほぼ同じ形態であり、一般にはアルミニウム合金、ステンレス鋼、銅等の金属箔を好適に用いることができるが、背面板３を用いず、パネル材６の背面が芯材６１によって形成されたものでもよい。
【００２８】
パネル材６は、図３に示すように、化粧板６２、芯材６１、裏面板６３による積層体であるが、積層体に限定されるものではなく、例えば化粧板６２、或いは芯材６１を単独で用いる形態でもよく、ポリカーボネートやアクリル樹脂等からなる透光材料を用いてもよい。又、吸音性能を発現させるために、騒音発生源側のパネル材６に多数の透孔を設けたものを用いてもよい。
【００２９】
吸音材７は、一般には、ロックウール、グラスウール、フェルト等が用いられるが、ポリエステル系繊維の集合体を用いると、軽量で、運搬や施工性に優れており、又、吸水や吸湿による性能低下が起こりにくいので、好適に使用できる。
【００３０】
塀パネル１において、一方のパネル材６に貫通した多数の孔やスリットを形成させれば、吸音材７と相まって塀パネル１の吸音能力を高めることができる。尚、吸音材７を用いず、２個のパネル材６の間に空隙が生じた状態のまま用いてもよい。
【００３１】
次に、塀パネル１の上下への接合構造について説明する。具体的には、塀パネル１の上枠５２と、隣接する塀パネル１の下枠５３との接合構造について説明する。
【００３２】
図３に示すように、下枠５３の下面には、その両端部から長手方向に沿って脚片５４が相対向して設けられ、この脚片５４の間には、並設された２個の突条５５が設けられている。又、上枠５２は、その接合部が下枠５３の脚片５４の間に挿入されると共に、接合部には係止溝５６が形成され、突条５５が挿入され係合されている。本実施形態では、下枠５３の接合部には、上枠５２の脚片５４と相対する箇所に切欠５７が形成され、上下の塀パネル１を接合した際に、上下の塀パネル１の前面及び背面が略面一となされる。
【００３３】
この構造において、最上段の塀パネル１の一方（矢印の方向）から風が当たるとすると、この塀パネル１の下枠５３は、脚片５４ａの先端部を支点Ｃとして回動しようとする。この時、相対向する脚片５４ｂは、支点Ｃから離れており、且つほぼ同じ高さに位置しているので、ほぼ垂直上向きに移動するため、下枠５３の接合部が上枠５２の脚片５４の間から外れる恐れがあるが、突条５５ａは、支点Ｃの近傍でかつ斜め上方に位置しているので、水平方向に近い斜め上向きに移動するため、突条５５ａの外側面が相対する係止溝５６ａの側壁面に接触し、下枠５３の回動が抑制される。つまり、塀パネル１を上下に接合させた際に、上の塀パネル１は、この接合構造によって、その両端が支柱に取付けられていない状態であっても、倒れにくくなる。尚、風が反対側から当たる場合も、同様な効果を奏することができる。
【００３４】
突条５５は、脚片５４に対してなるべく近傍に設けることが好ましい。これによって、前記下枠５３が前記のように回動する際、突条５５の移動方向は、より水平方向に近くなり、突条５５の外側面が相対する係止溝５６の側壁面に接触しやすくなり、下枠５２の回動をより効果的に抑制することができる。
【００３５】
突条５５は、本実施形態では、塀パネル１の前面及び背面側に設けられた脚片５４の近傍にそれぞれ相対して形成されているが、塀パネル１が倒れる恐れのある面側に形成されていれば、その効果を奏するので、塀パネル１を接合した際に、前面或いは背面のいずれか一方のみに倒れるおそれがある場合は、その面側のみに脚片５４及び突条５５が形成されていてもよい。
【００３６】
上枠５２の係合溝５６は、本実施形態では、開口部から底部に向かって幅が広くなる蟻溝状に形成されている。これによって、前記の効果に加えて、この上枠５２が最上段に位置する際に、笠木１１の内面に形成された突部１２が嵌合され、笠木１１が上枠５２から容易に外れないようにすることができる。
【００３７】
図５に示した下枠５２及び上枠５３は、その外形が上下に延設された形態であり、下枠５２、及び上枠５３の剛性を高めることができるので、より好ましい。
【００３８】
次に、支柱２への塀パネル１の取付構造について詳しく説明する。
【００３９】
図６は、塀パネル１の支柱２への取付構造の説明図であり、（ａ）、（ｂ）、（ｃ）はこの取付箇所を示す分解断面図である。
【００４０】
先ず、（ａ）に示すように、支柱２は角パイプ状に形成されたものであり、その側面には、取付部材３が設けられている。取付部材３は、ボルトによって支柱２に固定される基部３１と、基部３１の一側端から取付けられる塀パネル１に向かって突出されたカバー片３２と、基部３１の他側端から塀パネル１に向かって突出された受け片３３とからなり、断面コ字状に形成されている。本実施形態では、支柱２の両側面に取付部材３が設けられて、両取付部材３の基部３１を貫通したボルトによって固定されている。この構造によって、作業者は、支柱２の前面側から取付部材３の基部３１を固定することができるので、固定作業が容易となる。尚、取付部材３が支柱の一側面のみに取付けられる場合も、同様に取付部材３の基部３１を支柱２に固定することができる。
【００４１】
塀パネル１の縦枠５１は、支柱２に向かって垂直方向に突出された挟持片５８を有し、（ｂ）に示すように、挟持片５８の背面に、前記取付部材３の受け片３３が配置されるようになされている。この構造により、塀パネル１を支柱２の間に取付ける際、作業者は、支柱２の前面側から塀パネル１を取付けることができるので、支柱２の背面側に作業者が回り込んで作業するスペースが充分に確保できない場合や、支柱２の背面側が崖地や土手等になっている場合でも、取付作業はその前面側から容易になされる。
【００４２】
又、図６の（ｂ）において、取付部材３のカバー片３２は、その基端が支柱２の側面にほぼ当接されると共に、その先端側は縦枠５１の背面を隠蔽している。これによって、支柱２及び塀パネル１の背面側の隙間は、カバー片３２により隠蔽されるため、背面側からの美観を向上させることができる。尚、カバー片３２の基端が支柱２の側面にほぼ当接されているとは、隙間なく当接されていてもよく、子供が悪戯等で指を入れることができない程度の隙間が生じていてもよい。
【００４３】
又、カバー片３２は、本実施形態のように、縦枠１２の背面全体を隠蔽するものでもよいが、枠体１２の背面の一部を隠蔽するものでもよく、要は、塀パネル及び１支柱２の背面側の隙間が隠蔽されるものであればよい。
【００４４】
カバー片３２と縦枠５１の背面との間には隙間が生じていてもよいが、本実施形態のように、カバー片３２と縦枠５１の背面とがほぼ当接されるようになされれば、塀パネル１を取付けた後、風等によって塀パネル１の前面側に荷重がかかる際、この荷重は縦枠５１の挟持片５８を介して取付部材３の受け片３３で支えるのみでなく、縦枠５１の背面側においてもカバー片３２によっても支えることができるので、この荷重を分散して支えることが可能となり、より好ましい。そして、子供が悪戯等で指を入れて怪我をするような恐れも低くなる。
【００４５】
押さえ片４は、塀パネル１の前面側に配置されて、挟持片５８の前面を隠蔽すると共に、図６の（Ｃ）に示すように、受け片３３との間で挟持片５８を挟持し、支柱２に塀パネル１を取付けることができる。
【００４６】
この押さえ片４と取付部材３によって、塀パネル１と支柱２との隙間が隠蔽されているので、美観を奏すると共に、外構塀Ｐに表裏感が生じにくくようになされる。そして、子供が悪戯等で指を入れて怪我をするような恐れも低くなる。
【００４７】
又、本実施形態では、押さえ片４は、その一側端は支柱２の側面にほぼ当接されると共に、その横幅は、取付部材３のカバー片３２と同程度となされている。これによって、前記の効果と相まって外構塀Ｐが更に美観を奏することができる。
【００４８】
縦枠５１の挟持片５８は、縦枠５１の支柱２に面した外側面の任意の位置に形成することができるが、本実施形態のように、縦枠５１の前面側の外側面縁部から支柱２に向かって突設された形態であれば、押さえ片４によって、挟持片５８の前面と縦枠５１の前面を隠蔽する際に、挟持片５８の前面と押さえ片４の背面との間に不要な隙間が生じにくく、挟持片５８の挟持作業が容易となるので、好ましい。
【００４９】
挟持片５８の挟持方法は、支柱２の前面側から作業できるものであれば特に限定されるものではないが、本実施形態では、押さえ片４、挟持片５８、及び取付部材３の受け片３３にボルト挿通孔４１、５９、３４が形成されると共に、ナット３５が受け片３３のボルト挿通孔３４の背面側に固着されたものである。これによって、作業者は、ナット３５を支えなくても、支柱２の前面側からボルト３６の締結作業を行い、押さえ片４と受け片３３との間に、挟持片５８を挟持することができるので、塀パネル１の取付作業がより容易となる。尚、ナット３５の固着方法は、溶接でもよく、接着剤を用いたものでもよく、特に限定されるものではない。又、ボルト３６の頭部を受け片３３に固着すると共に、ボルト３６の螺子部を支柱２の前面側に向かって配置し、押さえ片４の支柱２の前面側からナット３５で締結するものでもよい（図示せず）。
【００５０】
そして、挟持片５８のボルト挿通孔５９が横長に形成されていれば、挟持片５８の挟持位置は、ボルト挿通孔５９の横幅の範囲内で適宜設定できるので、加工誤差や施工誤差によって支柱２の間隔に誤差が生じても、それに応じて塀パネル１を支柱２の間に取付けることができる。特に支柱２の間隔が広がった際にも、塀パネル１と支柱２との隙間が隠蔽できるように、取付部材３のカバー片３２及び押さえ片４の横幅を設定した方がより好ましい。
【００５１】
枠体１４を構成する縦枠５１、上枠５２、及び下枠５３は、一般にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フィルムをラミネートしたもの、表面に着色がなされたもの、装飾性を向上させるために表面に凹凸が形成されたもの等、枠体１４の大きさや必要な強度に応じて、適宜使用できる。
【００５２】
取付部材３、及び押さえ片４も、枠体５と同様な形態である。すなわち、一般にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フィルムをラミネートしたもの、表面に着色がなされたもの、装飾性を向上させるために表面に凹凸が形成されたもの等、必要な強度に応じて、適宜使用できる。
【００５３】
図７は、第一の実施形態に係る外構塀Ｐの変形の一例を示すものである。すなわち、取付部材３において、基部３１と受け片３３との角部を切り欠き、上下に亘って斜面を形成すると共に、押さえ片４は、支柱２側の側端部から前記角部の切り欠きに向かって延設され、断面Ｌ字状に形成されたものである。これによって、押さえ片４の剛性を高めることができる。
【００５４】
図８は、外構塀Ｐの第二の実施形態を示すものである。本実施形態に係る外構塀Ｐは、図６に示された外構塀Ｐと比べて、支柱２の形状と、支柱２に取付けられる取付部材の形態が異なるのみであり、その他の点については、図６に示された外構塀Ｐと同様である。
【００５５】
すなわち、図８に示された外構塀Ｐは、丸パイプ状の支柱２に塀パネル１が取付けられたものであり、取付部材３の基部３１は、支柱２の外周面に沿って断面円弧状に形成されている。その他の構造は、図６に示された外構塀Ｐと同様な形態である。尚、取付部材３の基部３１の形態は、基部３１と支柱２との間に隙間が生じない形態であればよいので、例えば、基部３１は、平板状に形成されると共に、支柱２に向かって上下に相対する隠蔽片が形成され、その隠蔽片の先端が支柱２に接した形態でもよい。或いは、基部３１が塀パネル側に窪んだ横断面く字型に形成されると共に、そのく字型に窪んだ外表面に支柱２が２箇所で接した形態でもよい。これらのような形態であれば、支柱２の複数の外径サイズに対して、取付部材３の基部３１が接した状態となされる。
【００５６】
図９は、外構塀Ｐの第二の実施形態に係る変形の一例を示すものである。すなわち、図６において、外構塀Ｐが支柱２の箇所で折れ曲がった形態となされたものであり、その折れ曲がりの程度に併せて、支柱２に対する取付部材３の取付位置を支柱２の外側面に沿って移動させたものである。その他の構造は、図８に示された外構塀Ｐと同様な形態である。
【００５７】
図１０は、外構塀Ｐの第三の実施形態を示すものである。本実施形態に係る外構塀Ｐは、図６に示された外構塀Ｐと比べて、支柱２の形状と、支柱２に取付けられる取付部材の形態が異なるのみであり、その他の点については、図６に示された外構塀Ｐと同様な形態である。
【００５８】
すなわち、図１０に示された外構塀Ｐは、Ｈ鋼からなる支柱２に塀パネル１が取付けられたものであり、Ｈ鋼の凹部が支柱２の側面側に配置され、取付部材３の基部３１は、Ｈ鋼の凹部の両先端に亘って配置され、取付部材３の受け片３３が支柱２の前面を覆うように突出したものである。その他の構造は、図６に示された外構塀Ｐと同様な形態である。尚、塀パネル１を支柱２に支持する際は、支柱２の前面にボルト挿通孔を設けると共に、その位置に合わせてクリップナット３７を取付ければ、作業者は、支柱２の前面側から、塀パネル１の取付作業が可能となるので、施工性を向上させることができる。
【００５９】
図１１は、外構塀Ｐの第四の実施形態を示すものである。本実施形態に係る外構塀Ｐは、図６に示された外構塀Ｐと比べて、主に取付部材３の受け片３３の形態が異なるものであり、その他の点については、図６に示された外構塀Ｐと同様な形態である。
【００６０】
すなわち、図１１に示された外構塀Ｐは、角パイプ状の支柱２に塀パネル１が取付けられたものであり、取付部材３の基部３１は、支柱２の側面に配置されると共に、取付部材３の受け片３３は、支柱２の前面を覆うように突出したものである。その他の構造は、図８に示された外構塀Ｐと同様な形態である。尚、塀パネル１を支柱２に支持する際は、支柱２の前面にボルト挿通孔を設けると共に、その周辺に別の孔を設け、その孔からクリップナット３７を取付けて位置合わせをしておけば、作業者は、支柱２の前面側から、塀パネル１の取付作業が可能となるので、施工性の向上させることができる。
【００６１】
図１２〜１４は、外構塀Ｐの第五の実施形態を示すものである。本実施形態に係る外構塀Ｐは、図６に示された外構塀Ｐと比べて、主に支柱２に対する取付部材３の取付構造が異なるものであり、その他の点については、図６に示された外構塀Ｐと同様な形態である。
【００６２】
すなわち、図１２〜１４に示された外構塀Ｐは、丸パイプ状の支柱２に塀パネル１が取付けられたものであり、取付部材３は、支柱２に回動可能に取付けられたバンド状金具１００を介して取付けられたものである。
【００６３】
まず、バンド状金具１００は、支柱２の外周面に沿って締着される２個一対の支柱取付片１０１、１０２からなり、支柱取付片１０１、１０２には、その相対向する一端に連結部１０３が設けられ、相対向する他方の一端には締め付け部１０４が設けられている。これにより、バンド状金具１００を支柱２に取付ける際、バンド状金具１００を支柱２の上端部から通さなくても、支柱２の所定の高さで支柱取付片１０１、１０２を連結させ、締め付け部１０４で締め付けることにより、支柱２に取付けることができる。本実施形態では、バンド状金具１００は2個の支柱取付片１０１、１０２からなるが、３個以上の支柱取付片から形成される形態でもよい、すなわち、2個の支柱取付片は、本実施形態と同様な形態とすると共に、これに加えてこの支柱取付片どうしを連結する形態、すなわち、両端に連結部１０３が形成された支柱取付片を用いた形態でもよい。
【００６４】
連結部１０３には、図１２の（ａ）に示すように、円周方向に突出した突起１０５が設けられ、突起１０５は先端に向けて幅広の台形状となされると共に、突起１０５は上下方向に複数個形成され、この突起の間には、突起１０５と同形状の凹部１０６が設けられている。そして、一方の突起１０５を、他方の凹部１０６に嵌め合わせることにより、支柱取付片１０１、１０２とが互いに連結させることができる。
【００６５】
締め付け部１０４は、支柱取付片１０１、１０２のそれぞれの端部から支柱２の外方に向けて相対向して突出した平板状に形成されると共に、それぞれに締め付け孔１０７が設けられている。この構造により、バンド状金具１００において、締め付けボルト２０１を締め付け孔１０７に螺入し支柱２を締め付けると、連結部１０３は互いに離れる方向に引っ張られるが、突起１０５と凹部１０６とが互いに嵌め合わされて外れないため、バンド状金具１００を支柱２により強固に取付けることができる。又、突起１０５は円周方向に沿って突出しているので、バンド状金具１００と支柱２との間に隙間が生じにくく、バンド状金具１００は、支柱２をより効果的に締め付けることができ、支柱２により強固に締着される。そして、バンド状金具１００は支柱２の周りを回動させても、突起１０５が支柱２に引っ掛かり傷等が生じるおそれは少なく、回動作業を円滑にできる。
【００６６】
続いて、本実施形態における取付金具３は、図１２の（ｂ）に示すように、支柱２に取付ける際、バンド状金具１００と重合する箇所において基部３１は、バンド状金具３が挿入される挿入孔３１ａを備えると共に、カバー片３２側が支柱２側に向けて屈曲した横断面く字状になされている。そして、図１２の（ｃ）に示すように、基部３１のカバー片３２側で支柱２に当接させることにより、支柱２と塀パネル１との取付箇所の裏面側には不必要な隙間が生じず、隠蔽される。
【００６７】
次に、取付部材３とバンド状金具１００との取付方法について、更に詳しく説明する。まず、図１２の（ｂ）に示すように、支柱２の所定の高さにバンド状金具１００を巻回させる。次に、取付部材３を支柱２に取付ける。この際、バンド状金具１００の締め付け部１０４を取付部材３の基部３１の挿入孔３１ａに挿入すると共に、取付部材３の受け片３３の背面側に２個の締め付け部１０４が重合するように配置する。そして、受け片３３の取付孔３３ａと締め付け部１０４の締め付け孔１０７に締め付けボルト２０１を受け片３３側から貫通させナット２０２と螺合させ、バンド状金具１００を介して取付部材３を支柱２に取付ける。尚、取付孔３３ａの縦幅は、バンド状金具３の幅と同程度とすれば取付部材３とバンド状金具１００との間に不必要な隙間が生じなくなり好ましいが、支柱２の両側に取付部材３が取付けられるので、それに応じた２個のバンド状金具１００が挿入されるようにバンド状金具３の２個分の幅としてもよい。又、１個の取付部材３に複数個のバンド状金具３が取付けられるようになされてもよい。
【００６８】
前記の締着作業において、ナット２０２は後から取付けてもよいが、本実施形態のようにカバー片３２側の締め付け部１０４の締め付け孔１０７の位置に固着させておけば、締着作業性の向上が図られる。又、締め付け部１０４に締め付け孔１０７をそれぞれ２個設け、一方の締め付け孔１０７には締め付けボルト２０１を貫通螺合してバンド状金具１００を支柱２に締着させ、そして他方の締め付け孔１０７には前記のように締め付けボルト２０１を挿入螺合して、バンド状金具１００を介して取付部材３を支柱２に取付ける形態にしてもよい。
【００６９】
この構造により、取付部材３は、締め付けボルト２０１を適宜緩めてバンド状金具１００を支柱２の外周面に沿って回動させれば、それに応じて回動するので、支柱２に対する塀パネルの取付角度に併せて、取付部材３の取付角度が調整可能となる。角度調整の後は、図１３に示すように、ビス２０３によって、支柱２にバンド状金具１００をより強固に固定させ、取付金具３がより回動しにくいようにしてもよい。
【００７０】
図１４の（ａ）は、本実施形態における塀パネル１の取付構造の説明図である。すなわち、図６に示された外構塀Ｐと比べて、押さえ片４の端部が支柱２の外周面に当接しやすいように鋭角に折り返され、取付部材３の受け片３のボルト挿通孔３４の位置に応じて、図１２に示すようにバンド状金具１００の締め付け部１０４にボルト挿通孔１０８が設けられ、ナット３５がカバー片３２側の締め付け部１０４のボルト挿通孔１０８の位置に固着されている点が異なる。その他の構造は、図８に示された外構塀Ｐと同様な形態である。これにより、外構塀Ｐのコーナー部においても、その角度に応じて塀パネル１を前面側から取付けることが可能となり、又、塀パネル１と支柱２との隙間を覆い、表裏感が生じにくい意匠性にも優れたものとなる。そして、本実施形態では、締め付けボルト２０１の頭部が受け片３３の表面から飛び出ないようになされている。これにより、押さえ片４を受け片３３の表面に取付ける際、受け片３２との間に不必要な隙間が生じにくくなり、又、押さえ片４により、締め付けボルト２０１１は、緩みにくくなる。尚、（ｂ）に示すように、塀パネル１と支柱２との隙間を上面から覆うために、端部カバー９を取付けてもよい。
【００７１】
又、本実施形態において、バンド状金具１００は上下に接して取付けられ、締め付け部１０４は互いに接するバンド部材７に向けて延設されると共に、ボルト挿通孔１０８は、前記接触面と同一平面上に形成されている。そして、取付部材３のボルト挿通孔３４、押さえ片４のボルト挿通孔４１は回転対称の位置に形成されている。この構造により、ボルト３６の挿入高さは左右で同じ高さとなるので、取付部材３、押さえ片４、及びバンド状金具１００は、それぞれ反転させて用いることによって、支柱２の両側に取付けることができ、部品種類の削減を図ることができる。
【００７２】
図１５は、外構塀Ｐの第六の実施形態を示すものであり、（ａ）は正面図、（ｂ）は側面図である。本実施形態に係る外構塀Ｐは、外構塀Ｐの上部が前面に向けて傾斜しているものである。
【００７３】
すなわち、図１５に示された外構塀Ｐにおいては、支柱２は支柱垂直部２２とその上部に前面側に向けて傾斜した支柱傾斜部２３が設けられ、支柱傾斜部２３に塀パネル１が取付けられたものである。
【００７４】
先ず、支柱２は、垂直に立設された角パイプ状の支柱垂直部２２と、その上部に前面側に向けて傾斜した角パイプ状の支柱傾斜部２３とからなる。本形態では、支柱垂直部２２と支柱傾斜部２３とは溶接により接合されたものであるが、支柱垂直部２２と支柱傾斜部２３にそれぞれ内嵌される嵌合部を設けた嵌合部材によって接合したものでもよい。
【００７５】
続いて、図１６の（ａ）に示すように、支柱傾斜部２３の側面には、取付部材３ａが取付けられ、カバー片３２が外構塀Ｐの前面側に配置され、受け片３３がその背面側に配置されている。又、挟持片５８は外構塀Ｐの背面側に設けられ、押さえ片４も背面側側から取付けられている。本形態では、挟持片５８が下方から受け片３３に支えられるため、前面側に傾斜した塀パネル１ａをより安定的に支持することができると共に、取付作業もより容易となる。尚、（ｂ）に示すように、支柱傾斜部２３の側面に、受け片３３が外構塀Ｐの前面側に配置された取付部材３を取付けて、塀パネル１を取付けて、押さえ片４を外構塀Ｐの前面側から取付けた形態でもよい。
【００７６】
連結部材３００は、図１７〜１８に示すように、支柱傾斜部２３の間に取付けられた塀パネル１ａと、支柱垂直部２２に取付けられた塀パネル１ｂの間に介在されたものである。すなわち、連結部材３００は、斜辺を底面３０１とする縦断面直角三角形状であって、この底面３０１が支柱垂直部２２に取付けられた塀パネル１ａの上端面に配置されると共に、直交する二辺の一方を上面３０２として、この上面３０２に支柱傾斜部２３に取付けられた塀パネル１ｂの下端面が配置されている。そして、直交する二辺の他方は側面３０３となされている。
【００７７】
底面３０１は、枠体５の下枠５３の下部と同様な形態を有している。すなわち、底面３０１の長手方向に並設された突条３０４が塀パネル１ｂの上端面の係止溝５６に挿入され接合されたものである。これにより、連結部材３００は前後方向には容易に移動しないようになされる。
【００７８】
上面３０２及び側面３０３は、塀パネル１の上部と同様な形態を有している。すなわち、上面３０２及び側面３０３は、塀パネル１ａ下端面の脚片５４の間に挿入されると共に、上面３０２には塀パネル１ｂ下端面の突条５５が挿入される係止溝３０５が設けられている。これにより、塀パネル１ｂは連結部材３００を介して塀パネル１ａに連結されると共に、上枠５２と下枠５３とを接合した場合と同様な効果が得られ、塀パネル１ｂ及び連結部材３００は、外構塀Ｐの前面側から取付け可能となると共に、塀パネル１ｂは傾斜取付位置から前方には倒れにくくなり、取付作業がより容易となる。
【００７９】
塀パネル１ｂ下端面の脚片５４において、外構塀Ｐの前面側の脚片５４は、塀パネル１ｂ上端の切欠５７の底部にほぼ当接されると共に、外構塀Ｐの背面側の脚片５４は、連結部材３００の側面３０３に設けられた切欠部に当接され、その外側面が側面３０３と略面一になされている。これによって、塀パネル１ａから塀パネル１ｂは、前面側及び背面側共に略連続的な外観となり、意匠性を向上させることができる。尚、連結部材３００は、一般にはアルミニウム合金や合成樹脂等を押出成型してなるものであり、その材質は枠材５と同様な材質の方が統一感を生じやすく意匠性が高められるので、より好ましい。
【産業上の利用可能性】
【００８０】
本発明によれば、支柱間に塀パネルを取付ける際、前面側のみから取付作業が可能であると共に、支柱と塀パネルとの隙間が隠蔽されて、表裏感が生じにくく、美観を奏するものとなるので、例えば、住宅やマンション等の敷地境界部や隣地境界部において、外構塀を新設する場合や、改装する場合に好適に利用できる。又、外構塀を一方からしか取付けられない場合や、一方が崖地や斜面である場合にも、好適に利用できる。
【図面の簡単な説明】
【００８１】
【図１】本発明に係る外構塀の実施の第一形態を示す正面図である。
【図２】図１の部分正面図である。
【図３】図１のＡ−Ａ線における要部拡大断面図である。
【図４】図１のＢ−Ｂ線における要部拡大断面図である。
【図５】図４の変形を示す部分断面図である。
【図６】図１の主要部の説明図である。
【図７】本発明に係る外構塀の第一の実施形態の変形を示す部分断面図である。
【図８】本発明に係る外構塀の第二の実施形態を示す部分断面図である。
【図９】本発明に係る外構塀の第二の実施形態を変形を示す部分断面図である。
【図１０】本発明に係る外構塀の第三の実施形態を示す部分断面図である。
【図１１】本発明に係る外構塀の第四の実施形態を示す部分断面図である。
【図１２】本発明に係る外構塀の第五の実施形態を示す部分分解説明図である。
【図１３】本発明に係る外構塀の第五の実施形態を示す要部横断面図である。
【図１４】本発明に係る外構塀の第五の実施形態を示す部分分解説明図である。
【図１５】本発明に係る外構塀の第六の実施形態を示す正面図と側面図である。
【図１６】図１５のＣ−Ｃ線における要部拡大断面図である。
【図１７】図１５のＤ−Ｄ線における腰部拡大断面図
【図１８】図１７の分解説明図である。
【符号の説明】
【００８２】
１    塀パネル
２    支柱
２２  支柱垂直部
２３  支柱傾斜部
３    取付部材
３１  基部
３２  カバー片
３３  受け片
３４、４１、５９  ボルト挿通孔
４    押さえ片
５    枠材
５１  縦枠
５２  上枠
５３  下枠
５４  脚片
５５  突条
５６  係止溝
５８  挟持片
６    パネル材
１００  バンド状金具
１０１  支柱取付片
１０２  支柱取付片
１０３  連結部
１０４  締め付け部
１０５  突起
１０６  凹部
３００    連結部材
３０１  底面
３０２  上面
【図１】
2008175033.tif 000003
【図２】
2008175033.tif 000004
【図３】
2008175033.tif 000005
【図４】
2008175033.tif 000006
【図５】
2008175033.tif 000007
【図６】
2008175033.tif 000008
【図７】
2008175033.tif 000009
【図８】
2008175033.tif 000010
【図９】
2008175033.tif 000011
【図１０】
2008175033.tif 000012
【図１１】
2008175033.tif 000013
【図１２】
2008175033.tif 000014
【図１３】
2008175033.tif 000015
【図１４】
2008175033.tif 000016
【図１５】
2008175033.tif 000017
【図１６】
2008175033.tif 000018
【図１７】
2008175033.tif 000019
【図１８】
2008175033.tif 000020